(57)【特許請求の範囲】
【請求項１】
少なくとも並んで配置された第１スイッチ及び第２スイッチを有する基板と、
前記第１スイッチに対応する第１押圧部及び前記第２スイッチに対応する第２押圧部を備えた押圧部を有するシーソーキーと、
前記押圧部を外部に露出する窓部を有し、前記基板を内部に収納する筐体と、を備え、
前記シーソーキーが、
前記第１押圧部と前記第２押圧部との間に位置するように前記押圧部の基板側となる面に設けられ、固定部材に当接する突起部と、
前記押圧部の基板側となる面に設けられた前記筐体に固定される脚部と、を有し、
前記脚部は、前記押圧部の下側から前記筐体の底面に向かって前記筐体の側面から離れるように斜めに伸びるとともに、先端が係合孔を有する前記筐体の底面に略平行な係合部となるように形成され、
前記筐体の底面には、前記係合部の係合孔に対応した位置にピンが形成され、
前記シーソーキーは、前記筐体の底面に設けられた前記ピンと前記係合部の前記係合孔とにより固定されていることを特徴とする電子機器。
【請求項２】
前記第１スイッチ及び前記第２スイッチが、前記筐体の側面側に向くように並んで配置され、
前記筐体が、前記第１スイッチ及び前記第２スイッチに対向する側面に前記窓部を有し、
前記シーソーキーが、前記窓部から前記押圧部を前記筐体の側面に露出するように設けられていることを特徴とする請求項１に記載の電子機器。
【請求項３】
前記脚部は、前記突起部よりも前記第１押圧部側に設けられた前記筐体に固定される第１脚部と、前記突起部よりも前記第２押圧部側に設けられた前記筐体に固定される第２脚部と、を有し、
前記第１脚部は、前記第１押圧部の下側近傍の位置から前記筐体の底面に向かって前記筐体の側面から離れるように斜めに伸びるとともに、先端が係合孔を有する前記筐体の底面に略平行な第１係合部となるように形成され、
前記第２脚部は、前記第２押圧部の下側近傍の位置から前記筐体の底面に向かって前記筐体の側面から離れるように斜めに伸びるとともに、先端が係合孔を有する前記筐体の底面に略平行な第２係合部となるように形成され、
前記筐体の底面に形成されるピンは、前記第１係合部及び前記第２係合部の係合孔に対応した位置に設けられ、
前記シーソーキーは、前記筐体の底面に設けられた前記ピンと前記第１係合部及び前記第２係合部の前記係合孔とにより固定されていることを特徴とする請求項１または請求項２に記載の電子機器。
【発明の詳細な説明】
【技術分野】
【０００１】
本発明は、電子機器に関する。
【背景技術】
【０００２】
従来、項目の変更や前後の説明を見るページ送り（戻し）操作などのために、筐体の側面にシーソーのように動くシーソーキーを有する電子機器が知られている（非特許文献１参照）。
【０００３】
図９は、非特許文献１の電子機器の外観を示す斜視図である。図１０は、図９に示されるシーソーキーの周辺を拡大して示す斜視図である。
【０００４】
図９に示すように、電子機器１００は、電子辞書に接続されて使用されるデジタル単語帳であり、電子回路基板（図示省略）などの内部構造を収容する筐体１０１と、筐体１０１の一つの側面に設けられるシーソーキー１０２とを備える。
【０００５】
図１０に示すように、このシーソーキー１０２は、筐体１０１側に設けられた係合孔部１０３に、シーソーキー１０２の中央に設けられた回転軸１０５を挿入した構成になっている。シーソーキー１０２では、一方の押圧部１０６を押すと、シーソーキー１０２が回転動作し、一方の押圧部１０６の裏側に形成された一方の凸部１０７が筐体１０１内部方向に移動し、一方の凸部１０７によって、筐体１０１内の電子回路基板上に設けられたスイッチを押圧し、例えば、ページ送りが行われる。また、他方の押圧部１０８を押すと、他方の押圧部１０８の裏側に形成された他方の凸部１１１が筐体１０１内部方向に移動し、他方の凸部１１１によって、筐体１０１内の電子回路基板上に設けられた別のスイッチを押圧し、ページ戻しが行われる。
【先行技術文献】
【非特許文献】
【０００６】
【非特許文献１】［ｏｎｌｉｎｅ］、インターネット＜ＵＲＬ：http://casio.jp/exword/products/XC-U30/＞
【発明の概要】
【発明が解決しようとする課題】
【０００７】
ところで、非特許文献１に記載される電子機器１００において、シーソーキー１０２のスムーズな回転動作を得るには、筐体１０１側の係合孔部１０３の内径をシーソーキー１０２の回転軸１０５の外径より大きめにする必要がある。係合孔部１０３の内径を回転軸１０５の外径より大きめにすると、シーソーキー１０２にガタつきが生じる場合があり、この場合、電子機器１００を落としたときなどに、シーソーキー１０２が強く電子回路基板にぶつかったり、その衝撃などで回転軸１０５が破損したりするおそれがある。また、シーソーキー１０２を押したときのクリック感が安定しないため、操作感の点でも改善の余地があった。
【０００８】
本発明は、このような事情に鑑みなされたものであり、ガタつきが少なく、安定した操作感が得られるシーソーキーを備えた電子機器を提供することを目的とする。
【課題を解決するための手段】
【０００９】
本発明は、以下の構成によって把握される。
本発明の電子機器は、少なくとも並んで配置された第１スイッチ及び第２スイッチを有する基板と、前記第１スイッチに対応する第１押圧部及び前記第２スイッチに対応する第２押圧部を備えた押圧部を有するシーソーキーと、前記押圧部を外部に露出する窓部を有し、前記基板を内部に収納する筐体と、を備え、前記シーソーキーが、前記第１押圧部と前記第２押圧部との間に位置するように前記押圧部の基板側となる面に設けられ、固定部材に当接する突起部と、前記押圧部の基板側となる面に設けられた前記筐体に固定される脚部と、を有し、前記脚部は、前記押圧部の下側から前記筐体の底面に向かって前記筐体の側面から離れるように斜めに伸びるとともに、先端が係合孔を有する前記筐体の底面に略平行な係合部となるように形成され、前記筐体の底面には、前記係合部の係合孔に対応した位置にピンが形成され、前記シーソーキーは、前記筐体の底面に設けられた前記ピンと前記係合部の前記係合孔とにより固定されていることを特徴とする。
【発明の効果】
【００１０】
本発明によれば、ガタつきが少なく、安定した操作感が得られるシーソーキーを備えた電子機器を提供することができる。
【図面の簡単な説明】
【００１１】
【図１】本発明の実施形態に係る電子機器の斜視図である。
【図２】図１に示される電子機器の平面図である。
【図３】図２に示される電子機器から上側筐体を外した構成を示す平面図である。
【図４】実施形態に係るシーソーキーをその外面側から見た斜視図である。
【図５】図２のＡ矢視図である。
【図６】図４に示されるシーソーキーをその内面側から見た斜視図である。
【図７】実施形態に係る下側筐体を正面側から見た斜視図である。
【図８】図３のＢ部拡大図である。
【図９】従来の電子機器の外観を示す斜視図である。
【図１０】図９に示されるシーソーキーの周辺を拡大して示す斜視図である。
【発明を実施するための形態】
【００１２】
以下、添付図面を参照して、本発明を実施するための形態（以下、「実施形態」と称する）について詳細に説明する。なお、実施形態の説明の全体を通して同じ要素には同じ番号を付している。
【００１３】
（電子機器の構成）
電子機器の全体構成を図１〜図３に基づいて説明する。
図１は電子機器の斜視図、図２は図１に示される電子機器の平面図、図３は図２に示される電子機器から上側筐体を外した構成を示す平面図である。
【００１４】
図１に示すように、電子機器１０は、片手で簡単に操作可能な携帯型のデジタル単語帳であり、下側筐体１１Ｄと、この下側筐体１１Ｄに上方から合わさる上側筐体１１Ｕとで構成される箱状の筐体１１を備える。
【００１５】
図２に示すように、上側筐体１１Ｕの正面部には、表示部１２が設けられる。この表示部１２は、メニュー画面や、単語のリストなどの各種の項目を表示する機能を有する。
【００１６】
また、筐体１１の正面部には、複数の操作用のキー１３〜１７が配置される。複数のキー１３〜１７のうちキー１３は、例えば、表示部１２における項目などの選択箇所（反転表示）を動かすときに押す選択キー１４と、選択した項目を決定するときに押す決定キー１５とを含む。また、キー１６は、例えば、単語の発音の再生や一時停止を行うときに押すキーであり、また、キー１７は、例えば、１つ前の単語に戻すときなどに押す、戻るキーである。
【００１７】
また、筐体１１の１つの側面部には、キー１８（例えば、メニューを表示するためのメニューキーや電源キー）が配置され、筐体１１のさらに別の側面（下側筐体１１Ｄ及び上側筐体１１Ｕの境界部分）には、シーソーキー３０（例えば、音量を調節するための音量キー）が配置される。
【００１８】
図３に示すように、筐体１１の内部には、基板４０が収納されており、この基板４０には、シーソーキー３０に対向するように、少なくとも第１スイッチ２１Ａ及び第２スイッチ２１Ｂが並んで配置される。第１スイッチ２１Ａ及び第２スイッチ２１Ｂは、筐体１１の側面側に向くように並んで配置される。
【００１９】
そして、筐体１１は、第１スイッチ２１Ａ及び第２スイッチ２１Ｂに対向する側面に窓部１１ａを有する。この窓部１１ａは、下側筐体１１Ｄ及び上側筐体１１Ｕの境界部分に形成されており、例えば、下側筐体１１Ｄの側面に設けた切り欠きと、上側筐体１１Ｕの側面に設けた切り欠きを合せることで形成される。
【００２０】
このような電子機器１０（デジタル単語帳）は、例えば、英単語を見たり聞いたりして覚えるための機能や、ＵＳＢケーブルなどの接続ケーブルを介し電子辞書と連携して学習できる機能を有する。例えば、電子機器１０では、英単語を暗記するための学習では、１つの英単語を１回だけ聞いて学習するモードや、１つの英単語を複数回聞いてじっくり学習するモードや、所定のキーを押すことにより手動で発音を聞いたり画面のページを使用者のペースでめくったりして学習するモードなど、各種のモードが選択可能である。
【００２１】
（シーソーキーの構成）
シーソーキー３０の構成を図４〜図８に基づいて説明する。
図４はシーソーキーをその外面側から見た斜視図、図５は図２のＡ矢視図、図６は図４に示されるシーソーキーをその内面側から見た斜視図である。図７は下側筐体を正面側から見た斜視図、図８は図３のＢ部拡大図である。
【００２２】
図４に示すように、シーソーキー３０は、板状で一方向に長い基部３１と、この基部３１の外側の面に設けられる押圧部３２とを有する。押圧部３２は、第１スイッチ２１Ａ（図３参照）に対応する第１押圧部３２Ａ及び第２スイッチ２１Ｂ（図３参照）に対応する第２押圧部３２Ｂを一体形成した部分であり、第１押圧部３２Ａ及び第２押圧部３２Ｂは、基部３１の長手方向に並んで配置されており、第１押圧部３２Ａ及び第２押圧部３２Ｂからなる押圧部３２は、筐体１１の窓部１１ａから外部に露出している（図５参照）。
【００２３】
また、図６に示すように、シーソーキー３０は、第１押圧部３２Ａと第２押圧部３２Ｂとの間に位置するように、基部３１の内側の面（本発明にいう「押圧部の基板側となる面」に相当）に設けられた突起部３３と、この突起部３３よりも第１押圧部３２Ａ側に設けられた第１脚部３５Ａと、突起部３３よりも第２押圧部３２Ｂ側に設けられた第２脚部３５Ｂと、を有する。さらに、基部３１の内側の面には、突起部３３を挟むようにして第１押圧部３２Ａ及び第２押圧部３２Ｂのそれぞれに対応した位置に、第１凸部３６Ａ及び第２凸部３６Ｂが設けられる。
【００２４】
なお、シーソーキー３０を構成する材料は、樹脂材料など各種の材料から選択可能である。また、シーソーキー３０は、１つの部品で構成してもよいし、あるいは、複数の部品で構成してもよい。
【００２５】
次に、このシーソーキー３０の筐体１１への固定構造について説明する。
図７に示すように、第１脚部３５Ａは、基部３１における第１押圧部３２Ａの下側近傍の位置から下側筐体１１Ｄの底面に向かって下側筐体１１Ｄの側面から離れるように斜めに伸びるとともに、下側筐体１１Ｄの底面に略平行な第１係合部３７Ａを先端に有する。第２脚部３５Ｂは、基部３１における第２押圧部３２Ｂの下側近傍の位置から下側筐体１１Ｄの底面に向かって下側筐体１１Ｄの側面から離れるように斜めに伸びるとともに、下側筐体１１Ｄの底面に略平行な第２係合部３７Ｂを先端に有する。
【００２６】
第１係合部３７Ａ及び第２係合部３７Ｂのそれぞれには、係合孔３８が設けられ、これら第１係合部３７Ａ及び第２係合部３７Ｂのそれぞれの係合孔３８には、第１係合部３７Ａ及び第２係合部３７Ｂに対応して下側筐体１１Ｄの底面に設けられた一対のピン２２が圧入されており、これにより、シーソーキー３０の第１脚部３５Ａ、第２脚部３５Ｂが下側筐体１１Ｄに固定されている。
【００２７】
図８に示すように、第１スイッチ２１Ａ及び第２スイッチ２１Ｂのそれぞれには、スイッチ本体２１ａから出没可能な可動部２１ｂが設けられており、第１スイッチ２１Ａ及び第２スイッチ２１Ｂでは、可動部２１ｂがスイッチ本体２１ａから突出した状態がＯＦＦの状態であり、可動部２１ｂがスイッチ本体２１ａ内に没入した状態がＯＮの状態である。
【００２８】
突起部３３は、平面視で三角形状を呈しており、その先端部（頂部）が基板４０の側端に当接している。これにより、シーソーキー３０は、突起部３３を支点に揺動可能に構成される。なお、本実施形態では、基板４０が固定されているために基板４０の側面を利用しているが、突起部３３の先端部は、基板４０と別に筐体１１Ｄに設けられるリブ等の固定部材に当接させるようにしても良い。シーソーキー３０は、使用者によって第１押圧部３２Ａが押されると、突起部３３を支点に一方向に回動して第１凸部３６Ａで第１スイッチ２１Ａの可動部２１ｂを没入させ（第１スイッチ２１ＡのみをＯＮ状態とし）、音量を調整する（例えば、音量を下げる）一方、使用者によって第２押圧部３２Ｂが押されると、突起部３３を支点に他方向に回動して第２凸部３６Ｂで第２スイッチ２１Ｂの可動部２１ｂを没入させ（第２スイッチ２１ＢのみをＯＮ状態とし）、音量を調整する（例えば、音量を上げる）ことができる。
【００２９】
そして、この構成においては、使用者が、仮に第１押圧部３２Ａ及び第１押圧部３２Ａを同時に押してしまっても、突起部３３が基板４０に当接しているため、第１凸部３６Ａ及び第２凸部３６Ｂによって第１スイッチ２１Ａ及び第２スイッチ２１Ｂが同時に押されてしまうことが防止されている。
【００３０】
（実施形態の効果）
以上、説明した実施形態によれば、支点となる突起部３３を基板４０に当接させ、かつ、第１脚部３５Ａ及び第２脚部３５Ｂを筐体１１に固定したので、従来の技術において筐体側の係合孔部とシーソーキーの回転軸との間に生じるようなガタつきは生じない。また、このようなガタつきが少なく、シーソーキー３０の動作が安定するとともに、シーソーキー３０を押す時には、第１脚部３５Ａ及び第２脚部３５Ｂの弾性力に抗して、第１押圧部３２Ａ及び第２押圧部３２Ｂを押すことになるので良好なクリック感、つまり、安定した操作感が得られる。さらに、シーソーキー３０が第１脚部３５Ａ及び第２脚部３５Ｂで筐体１１に固定されているので、電子機器１０を落としたときに発生するシーソーキー３０の振動が小さく、シーソーキー３０の破損を抑制することができる。加えて、シーソーキー３０の基部３１の内側の面に設けられた突起部３３は、第１押圧部３２Ａと第２押圧部３２Ｂとの間に位置しているので、第１押圧部３２Ａと第２押圧部３２Ｂを同時に押すような力がシーソーキー３０に加わったとしても、第１押圧部３２Ａ及び第２押圧部３２Ｂが共に動かないか、若しくは、第１押圧部３２Ａ又は第２押圧部３２Ｂの一方側にしか動くことがないので第１スイッチ２１Ａや第２スイッチ２１Ｂが同時に押されることが防止されるため、予期せぬ誤作動が発生することがない電子機器１０を提供することができる。
【００３１】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【００３２】
例えば、実施形態では、本発明の電子機器の一例としてデジタル単語帳を示したが、本発明は、デジタル単語帳の他、スマートフォンやウェアラブル端末など、各種の電子機器に適用可能である。
【００３３】
以下に、この出願の願書に最初に添付した特許請求の範囲に記載した発明を付記する。付記に記載した請求項の項番は、この出願の願書に最初に添付した特許請求の範囲の通りである。
＜請求項１＞
少なくとも並んで配置された第１スイッチ及び第２スイッチを有する基板と、
前記第１スイッチに対応する第１押圧部及び前記第２スイッチに対応する第２押圧部を一体形成した押圧部を有するシーソーキーと、
前記押圧部を外部に露出する窓部を有し、前記基板を内部に収納する筐体と、を備え、
前記シーソーキーが、
前記第１押圧部と前記第２押圧部との間に位置するように前記押圧部の基板側となる面に設けられ、固定部材に当接する突起部と、
前記突起部よりも前記第１押圧部側に設けられた前記筐体に固定される第１脚部と、
前記突起部よりも前記第２押圧部側に設けられた前記筐体に固定される第２脚部と、を有することを特徴とする電子機器。
＜請求項２＞
前記第１スイッチ及び前記第２スイッチが、前記筐体の側面側に向くように並んで配置され、
前記筐体が、前記第１スイッチ及び前記第２スイッチに対向する側面に前記窓部を有し、
前記シーソーキーが、前記窓部から前記押圧部を前記筐体の側面に露出するように設けられていることを特徴とする請求項１に記載の電子機器。
＜請求項３＞
前記第１脚部は、前記第１押圧部の下側近傍の位置から前記筐体の底面に向かって前記筐体の側面から離れるように斜めに伸びるとともに、先端が係合孔を有する前記筐体の底面に略平行な第１係合部となるように形成され、
前記第２脚部は、前記第２押圧部の下側近傍の位置から前記筐体の底面に向かって前記筐体の側面から離れるように斜めに伸びるとともに、先端が係合孔を有する前記筐体の底面に略平行な第２係合部となるように形成され、
前記筐体の底面には、前記第１係合部及び前記第２係合部の係合孔に対応したピンが形成され、
前記シーソーキーは、前記筐体の底面に設けられた前記ピンが前記第１係合部及び前記第２係合部の前記係合孔に圧入されることで固定されていることを特徴とする請求項２に記載の電子機器。
【符号の説明】
【００３４】
１０    電子機器
１１    筐体
１１ａ  窓部
１１Ｕ  上側筐体
１１Ｄ  下側筐体
１２    表示部
２１Ａ  第１スイッチ
２１Ｂ  第２スイッチ
２２    ピン
３０    シーソーキー
３２    押圧部
３２Ａ  第１押圧部
３２Ｂ  第２押圧部
３３    突起部
３５Ａ  第１脚部
３５Ｂ  第２脚部
３７Ａ  第１係合部
３７Ｂ  第２係合部
３８    係合孔
４０    基板
【図１】
0005979257.tif 000002
【図２】
0005979257.tif 000003
【図３】
0005979257.tif 000004
【図４】
0005979257.tif 000005
【図５】
0005979257.tif 000006
【図６】
0005979257.tif 000007
【図７】
0005979257.tif 000008
【図８】
0005979257.tif 000009
【図９】
0005979257.tif 000010
【図１０】
0005979257.tif 000011